(57)【特許請求の範囲】
【請求項１】
風防を有しムーブメントを収納する内側ケースと、該内側ケースを収納する外側ケースよりなり、前記内側ケースと前記外側ケースとの間に配置された緩衝体を含む腕時計ケースにおいて、前記外側ケースは断面コ字状の形状を有していて該断面コ字状の前記外側ケース内に前記内側ケースが収納されており、前記緩衝体は前記内側ケースの上面と側面と下面において前記外側ケースと接しているものであって、前記外側ケースは２体でできていると共に、前記外側ケースの上面は前記風防上面より上方に、また前記外側ケースの下面は前記内側ケース下面より下方に各々突出していることを特徴とする腕時計ケース。
【請求項２】
前記緩衝体が、前記内側ケースの上面に接する上緩衝部材と、前記内側ケースの下面に接する下緩衝部材とよりなり、前記上緩衝部材は前記内側ケースの側面にも接していることを特徴とする請求項１に記載の腕時計ケース。
【請求項３】
前記外側ケースは、前記内側ケースを下方から支持する支持部と、前記内側ケースの上方を掩う庇からなり、前記外側ケースが、前記支持部を備える下胴と、前記庇を備える上胴に分割され、かつ前記下胴と前記上胴を係合させる係合手段を備えたことを特徴とする請求項１または２に記載の腕時計ケース。
【請求項４】
前記係合手段は、前記上胴と前記下胴との間で圧縮される固定用パッキンであることを特徴とする請求項３に記載の腕時計ケース。
【請求項５】
前記係合手段は、前記上胴に形成されたネジ部と、前記下胴に形成されたネジ部との螺合であることを特徴とする請求項３に記載の腕時計ケース。
【請求項６】
前記係合手段は、前記上胴と前記下胴とを結合する固定用ネジであることを特徴とする請求項３に記載の腕時計ケース。
【請求項７】
内側ケースは収納部を有しており、該収納部は環状周壁部と底部を有し、前記環状周壁部と底部は一体にて形成されていることを特徴とする請求項１から６のいずれかに記載の腕時計ケース。
【請求項８】
前記外側ケースが金属製であることを特徴とする請求項１から７のいずれかに記載の腕時計ケース。
【請求項９】
前記ムーブメントには巻真を有し、該巻真に連結されるリューズを有していて、該リューズに隣接して突出するリューズガードを備えると共に、該リューズガードの下面に前記リューズの外周が露出するように切欠が形成されていることを特徴とする請求項１に記載の腕時計ケース。
【請求項１０】
前記切欠が前記リューズガードの先端を切り欠かないように形成されていることを特徴とする請求項９に記載の腕時計ケース。
【発明の詳細な説明】
【０００１】
【発明の属する技術分野】
本発明は、腕時計ケースに関する。特に腕時計ケースの耐衝撃構造に関する。
【０００２】
【従来の技術】
時計ケースの中に納められたムーブメントを、外部から負荷された衝撃から保護するための耐衝撃構造として、例えば実公平６−１７１１０号公報に記載された時計ケースが知られている。
図１１は、その従来技術の腕時計ケースを示す断面図で、そのケースは、金属製の内側ケース１と、ペルプレンなどの硬質な合成樹脂より成る外側ケース２との間に、ポリウレタンゴムなどの弾性材より成る緩衝体３が配置される。緩衝体３は、内側ケース１の上面１ａと、風防４を保持する環状突起１ｂの外周を覆うように、内側ケース１と外側ケース２との間に挟持される。内側ケース１と外側ケース２とは、複数の固定ネジ５によって固定される。また、金属製の裏蓋７はネジ８により内側ケース１に固定される。
この耐衝撃構造には、時計ケースに負荷される衝撃を緩衝体３の弾性変形によって吸収させ、ムーブメント６に伝わる衝撃を小さくできる利点があった。
【０００３】
また、このような耐衝撃構造を備える腕時計には、リューズを衝撃から保護するために、リューズガードがしばしば用いられる。
図１２はそのリューズガードを示す断面図である。リューズガード１２は、リューズ１０を両側から挟むように外側ケース２に突設された一対の保護壁で構成される。そして、衝撃がリューズ１０に負荷されないように、リューズガード１２の大きさは、その高さ長さ共に、リューズ１０より大きく形成される。このリューズガード１２は、衝撃がリューズ１０に負荷されることを防ぐ。よって、リューズに連結された巻芯（図示せず）が、衝撃によって曲がったり、あるいは折れたりする事故を防ぐことができる。
【０００４】
【発明が解決しようとする課題】
しかしながら、上記の耐衝撃構造では、緩衝体が配置されていない部分において、内側ケース１の外周壁１ｃと外側ケース２の内周壁２ａが完全に密着しているので、外部から外側ケース２に負荷された衝撃が、内側ケース１に伝わりやすい。また、外部から外側ケース２に負荷された衝撃は、固定ネジ５を介して、内側ケース１に伝わってしまう。
その結果、内側ケースに納められたムーブメント６に衝撃が伝わり、ムーブメント６が故障することがあった。
【０００５】
特に、内側ケース１の下面は、緩衝体にも外側ケースにも覆われていない。よって、腕時計を落として、内側ケースの下面に衝撃が負荷されると、全く衝撃を緩衝できなかった。
【０００６】
さらに、外側ケース２は内側ケース１の上面側面を被っているが、内側ケースの下面は被っていない。従って、固定ネジ８が緩むと、内側ケースが外側ケースから下方に抜けることがあった。
【０００７】
さらにまた、上記の耐衝撃構造における外側ケース２は、硬質とはいえ、合成樹脂であるため、充分な強度、耐傷性、および耐摩耗性を備えていない。従って、過大な衝撃が腕時計に負荷されると、内側ケースと外側ケースとの間に挟まれた緩衝体は弾性変形できても、硬質な合成樹脂より成る外側ケースは割れることがあった。また、長期にわたり腕時計を使用した場合、外側ケースが傷ついたり、摩耗したりした。
【０００８】
他方、図１２に示すリューズは、ネジロックリューズと称するもので、リューズ１０を緩める方に回すとロックが外れ、スプリング１４によってリューズガード１２より外方に突出する。そして、リューズ１０を回すことによりムーブメント６を動かし、時刻合わせなどを行う。その後、リューズ１０を締める方に回してロックする。
ところが、上記のリューズガード１２は、リューズ１０より大きいために、指がリューズ１０に触れることを妨げてしまう。よって、リューズ１０を指で回転させることが困難だった。
かかる課題は、ネジロックリューズ以外のリューズについても共通するものである。リューズより大きいリューズガードは、リューズの首引きの操作、あるいは腕時計の時刻合わせなどの為にリューズを回転させる操作を妨げてしまった。
【０００９】
本発明の第一の目的は、衝撃を充分に緩衝できる腕時計ケースの耐衝撃構造を提供するにある。
本発明の第二の目的は、外側ケースと内側ケースを確実に固定できる腕時計ケースの耐衝撃構造を提供するにある。
本発明の第三の目的は、充分な強度、耐傷性、および耐摩耗性を備える腕時計ケースの耐衝撃構造を提供するにある。
本発明の第四の目的は、リューズが操作しやすいリューズガードを備える腕時計ケースを提供するにある。
【００１０】
【課題を解決するための手段】
請求項１による発明は、風防を有しムーブメントを収納する内側ケースと、該内側ケースを収納する外側ケースよりなり、前記内側ケースと前記外側ケースとの間に配置された緩衝体を含む腕時計ケースにおいて、前記外側ケースは断面コ字状の形状を有していて該断面コ字状の前記外側ケース内に前記内側ケースが収納されており、前記緩衝体は前記内側ケースの上面と側面と下面において前記外側ケースと接しているものであって、前記外側ケースは２体でできていると共に、前記外側ケースの上面は前記風防上面より上方に、また前記外側ケースの下面は前記内側ケース下面より下方に各々突出していることを特徴とする。
このような構成により、腕時計ケースの衝撃が外側ケースに加えられても、衝撃は緩衝体に吸収されて、内側ケースに伝わりにくく、内側ケースに収められたムーブメント等の作動部を衝撃から保護する。
これは、従来の技術に用いられた固定ネジ５のように、外側ケースから内側ケースに衝撃を伝える部材が排除されているためである。
【００１１】
請求項２による発明は、前記緩衝体が、前記内側ケースの上面に接する上緩衝部材と、前記内側ケースの下面に接する下緩衝部材とよりなり、前記上緩衝部材は前記内側ケースの側面にも接していることを特徴とする。
この構成により、上下いずれから衝撃が負荷されても、衝撃は２つの緩衝体に吸収される。
【００１２】
請求項３による発明は、前記外側ケースは、前記内側ケースを下方から支持する支持部と、前記内側ケースの上方を掩う庇からなり、前記外側ケースが、前記支持部を備える下胴と、前記庇を備える上胴に分割され、かつ前記下胴と前記上胴を係合させる係合手段を備えたことを特徴とする。
この構成により、内側ケースが外側ケースから上下方向に沿って離脱することがないので、外側ケースと内側ケースとを確実に固定できるばかりでなく、腕時計ケースを容易に組み立てることができる。
【００１３】
請求項４による発明は、前記係合手段は、前記上胴と前記下胴との間で圧縮される固定用パッキンであることを特徴とする。
請求項５による発明は、前記係合手段は、前記上胴に形成されたネジ部と、前記下胴に形成されたネジ部との螺合であることを特徴とする。
請求項６による発明は、前記係合手段は、前記上胴と前記下胴とを結合する固定用ネジであることを特徴とする。
【００１４】
請求項７による発明は、内側ケースは収納部を有しており、該収納部は環状周壁部と底部を有し、前記環状周壁部と底部は一体にて形成されていることを特徴とする。
請求項８による発明は、前記外側ケースが金属製であることを特徴とする。
従って、長期にわたり腕時計を使用しても、外側ケースが傷ついたり、摩耗したりしにくい。
【００１５】
請求項９による発明は、前記ムーブメントには巻真を有し、該巻真に連結されるリューズを有していて、該リューズに隣接して突出するリューズガードを備えると共に、該リューズガードの下面に前記リューズの外周が露出するように切欠が形成されていることを特徴とする。
このような構成により、切欠から指を入れて、リューズを容易に操作することができると共に、腕時計を上から見ても切欠が見えないので、腕時計の外観を損ねない。また、切欠は手首によって塞がれるので、リューズの外周が露出していても、衝撃がリューズに直接負荷されることはない。
請求項１０による発明は、前記切欠が前記リューズガードの先端を切り欠かないように形成されていることを特徴とする。
この構成により、腕時計を横から見ても切欠が見えないので、腕時計の外観を損ねない。また、腕時計ケースの側面に衝撃が負荷されても、衝撃がリューズに直接負荷されることはない。
【００１６】
【発明の実施の形態】
（第一の実施形態）
図１は本発明の第一の実施形態によるケースを用いた腕時計の半径方向の線に沿う断面図、図２は本発明による時計ケース全体の分解斜視図、図３は本発明による時計ケースの分解断面図である。
本発明による腕時計ケースは金属製の内側ケース１９及び金属製の外側ケース２１を含む。それぞれのケースに用いる金属としては、ステンレス、チタン、黄銅などが挙げられる。
【００１７】
内側ケース１９は、収納部２０と見返しリング３１とよりなる。
収納部２０は、環状周壁部２０ａと底部２０ｂとよりなる。周壁部２０ａの上部外周には環状の緩衝体受け上部段部２２が形成され、下部外周には環状の緩衝体受け下部段部２３が形成される。
収納部２０の内周には、上部にパッキン受け段部２４，下部にムーブメント受け段部２５、２６が形成される。
更に、収納部２０に見返しリング３１が固定される。風防３０を支持する見返しリング３１には上部外側段部３２、内側段部３３及び下向段部３４が形成される。
【００１８】
外側ケース２１は環状の下胴２１ａと、環状の上胴２１ｃとに分割される。
上胴２１ｃの上部には、内方に突出する庇３６が形成される。上胴２１ｃの下面から下側に向けて環状の下部突条２７が形成される。よって、庇３６の裏側に下向きの段部３５が形成される。
下胴２１ａの下部には、内方に突出する支持部２１ｂが形成される。下胴２１ａの上部内側には上胴２１ｃの下部突条２７を受ける段部２８が形成される。
【００１９】
さらに、上部緩衝体４３と下部緩衝体３７が用意される。衝撃を吸収する緩衝体３７、４３は、柔軟な合成樹脂やゴムなど、弾性変形できる素材で作ることができる。例えば、ポリウレタンを用いることができる。
【００２０】
次に全体の構造を組立順に従って説明する。
収納部２０内には、段部２５、２６上にムーブメント３８が載せられる。 見返しリング３１が、固定用パッキン４１により収納部２０に固定される。固定用パッキン４１は、見返しリング３１の下向段部３４と、収納部２０の段部２４の間で圧縮され、見返しリング３１と収納部２０双方に圧接する。よって、固定用パッキン４１の弾発力によって、見返しリング３１が収納部２０に固定される。見返しリング３１は、文字板４０をムーブメント３８との間に挟み、文字板４０及びムーブメント３８を保持する。更に風防３０がパッキン４２により見返しリング３１に固定される。
よって、内側ケース１９は、水密にムーブメント３８を収納する。
【００２１】
次に、下胴２１ａの支持部２１ｂの上面に、環状の下部緩衝体３７が載せられる。下部緩衝体３７の外周は下胴２１ａの内壁に接する。
そして、下胴２１ａ内に内側ケース１９を載せる。内側ケース１９の収納部２０の下面から下方に向けて突出した段部４８が、下胴２１ａの支持部２１ｂに囲まれた開口に入り込む。下部緩衝体３７の内周は、内側ケースの収納部２０の下部段部２３に圧接する。これにより、下部緩衝体３７の位置が決定し、かつ下部緩衝体３７のガタツキが抑えられる。
【００２２】
次に、収納部２０の上部段部２２と見返しリング３１の上部段部３２上に断面逆Ｌ字形の上部緩衝体４３が載せられる。上部段部２２と３２が、上部緩衝体４３を載せる段部を内側ケースに形成し、上部緩衝体４３の位置を決定する。
【００２３】
次に、上胴２１ｃを下胴２１ａに固定用パッキン４５を用いて固定する。固定用パッキン４５は、下胴２１ａの段部２８と、上胴２１ｃの下部突状２７との間で圧縮され、下胴２１ａと上胴２１ｃ双方に圧接する。よって、固定用パッキン４５の弾発力によって、下胴２１ａと上胴２１ｃとが固定され、外側ケース２１が構成される。
上部緩衝体４３の外周は、下胴２１ａの内壁と、上胴２１ｃの下部突状２７の内壁に圧接する。上部緩衝体４３の上面は、上胴２１ｃの庇３６の裏面、すなわち段部３５に圧接する。よって、上部緩衝体４３のガタツキが抑えられる。
【００２４】
このように組み立てられた時計ケースにおいて、上部緩衝体４３が配置されていない内側ケース１９の外周壁と外側ケース２１の内周壁との間、詳しくは収納部２０の外周壁２０ａと、下胴２１ａの内周壁との間には隙間４６が形成される。隙間４６が形成されるように、両ケースの寸法及び緩衝体４３及び３７の寸法が決められる。
【００２５】
また支持部２１ｂの先端の内周壁４７と内側ケース２０の段部４８が接触しないように、また上胴２１ｃの庇３６の下面及び内周が見返しリング３１に接触しないようにそれぞれ隙間が設けられる。
さらに、上胴２１ｃの庇３６の上面と風防３０の上面との間には、高さＨ１の段差があり、支持部２１ｂの下面と内側ケース２０の底部２０ｂの下面との間には高さＨ２の段差が形成されるよう各部の寸法が定められている。
【００２６】
これらの隙間４６や段差Ｈ１、Ｈ２などは、外側ケース２１に加えられた衝撃が直接内側ケース１９に伝わることを防ぐ。また、負荷された衝撃により緩衝体４３，３７が弾性変形したとき、外側ケース２１と内側ケース１９とが衝突することを防ぐ。
【００２７】
さて、図４はリューズを通る線に沿う断面図である。
リューズ５０は連結軸５１を介してムーブメント３８内の巻芯（図示せず）に連結されており、リューズを回してネジ５２が外れると、スプリング５３によりリューズがリューズガード５４より外方に突出するようになっている。その突出したリューズを回すことにより軸５１を介して巻芯を回転させ、針合わせ等を行うことができる。
本発明によれば、図２に示すように一対のリューズカード５４の各ガードの下縁に切欠５４ａがリューズガードの先端より内方の位置において形成される。図４で明らかなようにこの切欠５４ａはリューズの外周より深く、ここに指を入れリューズ５０を回転させて之を突出させることができる。
【００２８】
本発明によれば、内側ケース１９と外側ケース２１とはネジを用いることなく緩衝体３７と４３との圧接により互いに固定される。そして、緩衝体３７、４３が配置された部分を除き、内側ケース１９と外側ケース２１との間に隙間が形成される。よって、外部から外側ケース２１に与えられる衝撃は、内側ケース１９に伝わることなく緩衝体に吸収される。
下部緩衝体３７が内側ケース１９の下面に接して配置されているので、腕時計ケースの裏側から衝撃が支持部２１ｂに負荷されても、衝撃は緩衝体に吸収されて、内側ケース１９に伝わりにくい。
【００２９】
内側ケース１９を下方から支持する外側ケース２１の支持部２１ｂが内側ケースを掩う。また、内側ケース１９の上方を外側ケース２１の庇３６が掩う。よって、内側ケース１９が外側ケース２１から上下方向どちらにもに抜出することがない。
さらに、高さＨ１、Ｈ２の段差があるので時計を落としても風防３０及び内側ケース２０に地上の物体が当たることが少ない。
さらにまた、外側ケース２１及び内側ケース１９が金属製であるので充分な強度、耐傷性、および耐摩耗性を備える。
【００３０】
一方、リューズガード５４にリューズ５０を露出させる切欠５４ａが形成されているので、ここから指を入れて、リューズを容易に操作することができる。
切欠５４ａがリューズガード５４の下面に形成され、腕時計を上から見ても切欠５４ａが見えず、腕時計の外観を損ねない。また、切欠５４ａは手首によって塞がれているので、リューズ５０の外周が切欠５４ａより露出していても、衝撃がリューズ５０に直接負荷されることはない。
また、切欠５４ａがリューズガード５４の先端を切欠かないように形成されているので腕時計を横から見ても切欠５４ａが見えず、腕時計の外観を損ねない。更に、腕時計ケースの側面に衝撃が加えられても、衝撃がリューズ５０に直接伝わることはない。
【００３１】
（第二の実施形態）
図５は第二実施形態を示す断面図、図６はその分解斜視図、図７はリューズを通る線に沿う断面図である。
本実施形態では、第一実施形態とは異なるように外側ケース２１を上胴と下胴とに分割する。すなわち、第一実施形態における上胴２１ｃと下胴２１ａとが一体となって、第二実施形態の上胴２１ａを構成する。上胴２１ａは第一実施形態と同じ庇３６ａを備える。一方、第一実施形態における支持部２１ｂが独立して第二実施形態の環状の下胴５６を構成する。
そして下胴５６の外周に形成された雄ねじ５７が、上胴２１ａの内周下部に形成された雌ねじ５８に噛合って、上胴２１ａと下胴５６が固定される。
内側ケース１９は、第一実施形態と同じである。
【００３２】
下胴５６には、図６に示すように多数の工具挿入孔６０が形成される。上下に貫通した孔６０に工具を挿入することにより下胴５６を回転させ、上胴２１ａに螺合させることができる。
また、工具挿入孔６０は下部緩衝体３７で塞がれる。よって、内側ケース１９と外側ケース２１との間の隙間４６内に、水、砂、あるいは泥などが侵入することはない。工具挿入孔６０は、外方に向けて開口した有底の孔であってもかまわない。
その他の構造は第一実施形態と同じで之と同じ符号を付して説明を省略する。また、効果も第一実施形態と同じである。
【００３３】
（第三の実施形態）
図８は第三実施形態を示す断面図、図９はその分解斜視図である。
この実施形態では、第一実施形態の上胴２１ｃに四個の孔６１が形成される。孔６１は、上胴２１ｃを上下に貫通する段付き孔である。孔６１それぞれに挿通された４本の固定用ねじ６２が、下胴２１ａのねじ孔６３に螺入される。よって、上胴２１ｃと下胴２１ａとが固定される。第一実施形態におけるパッキン４５がなく、上胴２１ｃと下胴２１ａとが確実に固定される。
【００３４】
固定用ねじ６２は、上部緩衝体４３を避けて配置することが好ましい。なぜならば、ねじ６２を通すための孔や切り欠けを緩衝体４３に設けると、緩衝体４３の構造が複雑になって安価に製造できないばかりか、ねじ６２との接触によって緩衝体４３の弾性変形が妨げられる懸念がある。
なお、固定用ねじ６２の数は複数であれば何本でも良い。
その他は第一実施形態と同じである。
【００３５】
（第四の実施形態）
図１０は第四実施形態を示す断面図である。
本実施形態は第二実施形態における雄ねじ５７、雌ねじ５８の代わりに、複数の固定用ねじ６５により下胴６６が上胴２１ａに固定される。詳しくは、下胴６６を上下に貫通した複数の孔に挿通された固定用ねじ６５を上胴２１ａに螺入させる。固定用ねじ６５は、下部緩衝体３７を避けて配置することが好ましい。
その他は第二実施形態と同じである。
【００３６】
以上の実施例においては、内側ケース１９に特定の防水構造が採用されたが、本発明は、内側ケース１９がどのような構造であっても成立する。
また、耐摩耗性や耐傷性を優先しないのであれば、外側ケースは金属以外の素材であってもかまわない。
また、リューズとしてネジロックリューズを採用したが、ネジロック方式以外のリューズにあっても、本発明のリューズガードの切欠は効果を奏する。切欠より指を入れてネジロック方式以外のリューズを首引きしたり、リューズを回転させてムーブメントのネジを巻いたりすることができる。
【００３７】
【発明の効果】
本発明によれば、緩衝体のみによって外側ケースが内側ケースに固定され、また外側ケースが内側ケースに接触していないので、外側に加えられる衝撃が内側ケースに殆ど伝わらなく、内部構成物を保護することができる。
【図面の簡単な説明】
【図１】本発明の第一の実施形態によるケースを用いた腕時計の半径方向の線に沿う断面図である。
【図２】本発明の第一の実施形態による時計ケース全体の分解斜視図である。
【図３】本発明の第一の実施形態による時計ケースの分解断面図である。
【図４】本発明の第一の実施形態によるリューズを通る線に沿う断面図である。
【図５】本発明の第二実施形態を示す断面図である。
【図６】本発明の第二実施形態を示す分解斜視図である。
【図７】本発明の第二実施形態によるリューズを通る線に沿う断面図である。
【図８】本発明の第三実施形態を示す断面図である。
【図９】本発明の第三実施形態を示す分解斜視図である。
【図１０】本発明の第四実施形態を示す断面図である。
【図１１】従来技術の腕時計ケースを示す断面図である。
【図１２】従来技術の腕時計ケースのリューズガードを示す断面図である。
【符号の説明】
１  内側ケース
１ａ  上面
１ｂ  環状突起
１ｃ  外周壁
２  外側ケース
２ａ  内周壁
３  緩衝体
４  風防
５  固定ネジ
６  ムーブメント
７  裏蓋
８  固定ネジ
１０  リューズ
１２  リューズガード
１４  スプリング
１９  内側ケース
２０  収納部
２０ａ  環状周壁部
２０ｂ  底部
２１  外側ケース
２１ａ  下胴
２１ｂ  支持部
２１ｃ  上胴
２２  上部段部
２３  下部段部
２４  パッキン受け段部
２５、２６  ムーブメント受け段部
２７  下部突条
２８  段部
３０  風防
３１  見返しリング
３２  上部外側段部
３３  内側段部
３４  下向段部
３５  下向段部
３６、３６ａ  庇
３７  下部緩衝体
３８  ムーブメント
４０  文字板
４１  固定用バッキン
４２  パッキン
４３  上部緩衝体
４５  固定用パッキン
４６  隙間
４７  内習壁
４８  段部
５０  リューズ
５１  連結軸
５２  ネジ
５３  スプリング
５４  リューズガード
５４ａ  切欠
５６  下胴
５７  雄ねじ
５８  雌ねじ
６０  工具挿入孔
【図１】
0004503752.tif 000002
【図２】
0004503752.tif 000003
【図３】
0004503752.tif 000004
【図４】
0004503752.tif 000005
【図５】
0004503752.tif 000006
【図６】
0004503752.tif 000007
【図７】
0004503752.tif 000008
【図８】
0004503752.tif 000009
【図９】
0004503752.tif 000010
【図１０】
0004503752.tif 000011
【図１１】
0004503752.tif 000012
【図１２】
0004503752.tif 000013